【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
上流とシリアル接続する上流バス手段を、複数の下流とシリアル接続する下流バス手段へ分配する分配手段と、
前記上流バス手段からの通電がある場合は、上流からのデータを前記下流バス手段に伝送し、前記上流バス手段からの通電がない場合は、前記下流バス手段に接続された画像入出力装置と接続してその画像データの授受を行う制御手段とを有することを特徴とする情報処理装置。
【請求項２】
前記制御手段は、前記画像入出力装置を制御する制御プログラムを外部装置より受け取り、この受け取った制御プログラムによって前記画像入出力装置との間で画像データの授受を行う構成にしたことを特徴とする請求項１記載の情報処理装置。
【請求項３】
前記制御プログラムを格納するメモリと、前記メモリ内の制御プログラムの有無を検知する検知手段とを備え、
前記制御手段は、前記メモリ内に制御プログラムが格納されていない場合に、前記外部装置より受け取った制御プログラムによって前記画像入出力装置との間で画像データの授受を行う構成にしたことを特徴とする請求項２記載の情報処理装置。
【請求項４】
前記制御手段は、前記画像入出力装置を制御する制御プログラムを前記画像入出力装置より受け取り、その受け取った制御プログラムによって前記画像入出力装置との間で画像データの授受を行う構成にしたことを特徴とする請求項１記載の情報処理装置。
【請求項５】
１つの上流と１対１にシリアル接続する上流バス手段を、複数の下流と１対１にシリアル接続する下流バス手段へ分配する分配手段と、
前記上流バス手段からの通電がある場合は、上流からのデータを前記下流バス手段に伝送し、前記上流バス手段からの通電がない場合は、前記下流バス手段に接続された画像入出力装置と接続してその画像データの授受を行い、ディスプレイに表示する制御手段とを有することを特徴とするディスプレイ制御装置。
【請求項６】
前記制御手段は、前記画像入出力装置を制御する制御プログラムを外部装置より受け取り、前記外部装置より受け取った制御プログラムによって前記画像入出力装置との間で画像データの授受を行う構成にしたことを特徴とする請求項５記載のディスプレイ制御装置。
【請求項７】
前記制御プログラムを格納するメモリと、前記メモリ内の制御プログラムの有無を検知する検知手段とを備え、
前記制御手段は、前記メモリ内に制御プログラムが格納されていない場合に、前記外部装置より受け取った制御プログラムによって前記画像入出力装置との間で画像データの授受を行う構成にしたことを特徴とする請求項６記載のディスプレイ制御装置。
【請求項８】
前記制御手段は、前記画像入出力装置を制御する制御プログラムを前記画像入出力装置より受け取り、その受け取った制御プログラムによって前記画像入出力装置との間で画像データの授受を行う構成にしたことを特徴とする請求項５記載のディスプレイ制御装置。
【請求項９】
１つの上流と１対１にシリアル接続する上流バス手段を、複数の下流と１対１にシリアル接続する下流バス手段へ分配する手段を備えておき、前記上流バス手段からの通電がある場合は、上流からのデータを前記下流バス手段に伝送し、前記上流バス手段からの通電がない場合は、前記下流バス手段に接続された画像入出力装置と接続してその画像データの授受を行い、ディスプレイに表示することを特徴とするディスプレイ制御方法。
【請求項１０】
１つの上流と１対１にシリアル接続する上流バス手段を、複数の下流と１対１にシリアル接続する下流バス手段へ分配する手段を有し、前記下流バス手段に接続された画像入出力装置に接続してその画像データをディスプレイに表示するディスプレイ制御方法を実行する、コンピュータ読み出し可能なプログラムを格納した記憶媒体であって、
前記上流バス手段からの通電を検知するステップと、
前記上流バス手段からの通電がある場合は上流からのデータを前記下流バス手段に伝送し、前記上流バス手段からの通電がない場合は前記下流バス手段に接続された画像入出力装置と接続してその画像データの授受を行うステップと、
前記画像データをディスプレイに表示するステップとを備えることを特徴とする記憶媒体。
【手続補正２】
【補正対象書類名】明細書
【補正対象項目名】００１２
【補正方法】変更
【補正の内容】
【００１２】
【課題を解決するための手段】
上記目的を達成するために、請求項１記載の発明に係る情報処理装置では、上流とシリアル接続する上流バス手段を、複数の下流とシリアル接続する下流バス手段へ分配する分配手段と、前記上流バス手段からの通電がある場合は、上流からのデータを前記下流バス手段に伝送し、前記上流バス手段からの通電がない場合は、前記下流バス手段に接続された画像入出力装置と接続してその画像データの授受を行う制御手段とを有することを特徴とする。


【手続補正３】
【補正対象書類名】明細書
【補正対象項目名】００１３
【補正方法】変更
【補正の内容】
【００１３】
請求項２記載の発明に係る情報処理装置では、上記請求項１記載の発明において、前記制御手段は、前記画像入出力装置を制御する制御プログラムを外部装置より受け取り、この受け取った制御プログラムによって前記画像入出力装置との間で画像データの授受を行う構成にしたことを特徴とする。


【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項３記載の発明に係る情報処理装置では、上記請求項２記載の発明において、前記制御手段は、前記制御プログラムを格納するメモリと、前記メモリ内の制御プログラムの有無を検知する検知手段とを備え、前記メモリ内に制御プログラムが格納されていない場合に、前記外部装置より受け取った制御プログラムによって前記画像入出力装置との間で画像データの授受を行う構成にしたことを特徴とする。


【手続補正６】
【補正対象書類名】明細書
【補正対象項目名】００１６
【補正方法】変更
【補正の内容】
【００１６】
請求項４記載の発明に係る情報処理装置では、上記請求項１記載の発明において、前記制御手段は、前記画像入出力装置を制御する制御プログラムを前記画像入出力装置より受け取り、その受け取った制御プログラムによって前記画像入出力装置との間で画像データの授受を行う構成にしたことを特徴とする。


【手続補正７】
【補正対象書類名】明細書
【補正対象項目名】００１７
【補正方法】変更
【補正の内容】
【００１７】
請求項５記載の発明に係るディスプレイ制御装置では、１つの上流と１対１にシリアル接続する上流バス手段を、複数の下流と１対１にシリアル接続する下流バス手段へ分配する分配手段と、前記上流バス手段からの通電がある場合は、上流からのデータを前記下流バス手段に伝送し、前記上流バス手段からの通電がない場合は、前記下流バス手段に接続された画像入出力装置と接続してその画像データの授受を行い、ディスプレイに表示する制御手段とを有することを特徴する。


【手続補正８】
【補正対象書類名】明細書
【補正対象項目名】００１８
【補正方法】変更
【補正の内容】
【００１８】
請求項６記載の発明に係るディスプレイ制御装置では、上記請求項５記載の発明において、前記制御手段は、前記画像入出力装置を制御する制御プログラムを外部装置より受け取り、前記外部装置より受け取った制御プログラムによって前記画像入出力装置との間で画像データの授受を行う構成にしたことを特徴とする。


【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項７記載の発明に係るディスプレイ制御装置では、上記請求項６記載の発明において、前記制御プログラムを格納するメモリと、前記メモリ内の制御プログラムの有無を検知する検知手段とを備え、前記制御手段は、前記メモリ内に制御プログラムが格納されていない場合に、前記外部装置より受け取った制御プログラムによって前記画像入出力装置との間で画像データの授受を行う構成にしたことを特徴とする。


【手続補正１１】
【補正対象書類名】明細書
【補正対象項目名】００２１
【補正方法】変更
【補正の内容】
【００２１】
請求項８記載の発明に係るディスプレイ制御装置では、上記請求項５記載の発明において、前記制御手段は、前記画像入出力装置を制御する制御プログラムを前記画像入出力装置より受け取り、その受け取った制御プログラムによって前記画像入出力装置との間で画像データの授受を行う構成にしたことを特徴とする。


【手続補正１２】
【補正対象書類名】明細書
【補正対象項目名】００２２
【補正方法】変更
【補正の内容】
【００２２】
請求項９記載の発明に係るディスプレイ制御方法では、１つの上流と１対１にシリアル接続する上流バス手段を、複数の下流と１対１にシリアル接続する下流バス手段へ分配する手段を備えておき、前記上流バス手段からの通電がある場合は、上流からのデータを前記下流バス手段に伝送し、前記上流バス手段からの通電がない場合は、前記下流バス手段に接続された画像入出力装置と接続してその画像データの授受を行い、ディスプレイに表示することを特徴とする。


【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
請求項１０記載の発明に係る記憶媒体では、１つの上流と１対１にシリアル接続する上流バス手段を、複数の下流と１対１にシリアル接続する下流バス手段へ分配する手段を有し、前記下流バス手段に接続された画像入出力装置に接続してその画像データをディスプレイに表示するディスプレイ制御方法を実行する、コンピュータ読み出し可能なプログラムを格納した記憶媒体であって、前記上流バス手段からの通電を検知するステップと、前記上流バス手段からの通電がある場合は上流からのデータを前記下流バス手段に伝送し、前記上流バス手段からの通電がない場合は前記下流バス手段に接続された画像入出力装置と接続してその画像データの授受を行うステップと、前記画像データをディスプレイに表示するステップとを備えることを特徴とする。


【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００４２
【補正方法】変更
【補正の内容】
【００４２】
ＰＣ１１の電源が入っていない場合は、ＭＰＵ１３Ａによるデータ信号Ｓ１１の監視により、ＰＣ１１からのデータ信号Ｓ１１が通電状態でないことが検出される。ＭＰＵ１３Ａが、ＰＣ１１からのデータ信号Ｓ１１が通電状態にないことを検出すると、バス切換えスイッチ１６をＭＰＵ１３Ａとハブ１２を接続する状態に設定すると共に、表示部１４が画像メモリ１１０からの画像を表示するように画像切換えスイッチ１５を設定する。


【手続補正２３】
【補正対象書類名】明細書
【補正対象項目名】００５７
【補正方法】変更
【補正の内容】
【００５７】
同図において、フレームの構成は、フレームの開始を示すＳＯＦ４１とデータパケットからなり、データパケットは、データパケット（１）４２、データパケット（２）４６、データパケット（３）４７及び複数のデータから構成されている。フレームは、ＳＯＦ４１から次のＳＯＦ４８が開始されるまでであり、１ｍｓ毎の時分割である。


【手続補正２４】
【補正対象書類名】明細書
【補正対象項目名】００７１
【補正方法】変更
【補正の内容】
【００７１】
図７は、デジタルカメラ１７の構成を示すブロック図である。


【手続補正２５】
【補正対象書類名】明細書
【補正対象項目名】００７２
【補正方法】変更
【補正の内容】
【００７２】
このデジタルカメラ１７はＭＰＵ７８を有している。ＭＰＵ７８は、ＭＰＵバスＳ７３を介してデータの送受を行い、ハブ１２とはデータ線Ｓ７２を介してデータの送受を行う。


【手続補正２６】
【補正対象書類名】明細書
【補正対象項目名】図面の簡単な説明
【補正方法】変更
【補正の内容】
【図面の簡単な説明】
【図１】本発明の第１実施形態に係るディスプレイ制御装置を含むディスプレイ装置の全体構成を示すブロック図である。
【図２】ＰＣ１１の構成を示すブロック図である。
【図３】ＰＣ１１からのデータ信号の構成を示すブロック図である。
【図４】ＰＣ１１から送信されるデータ信号のデータ転送フレームの概要図である。
【図５】本発明の第２実施形態に係るディスプレイ制御装置を含むディスプレイ装置の全体構成を示すブロック図である。
【図６】本発明の第３実施形態に係るディスプレイ制御装置を含むディスプレイ装置の全体構成を示すブロック図である。
【図７】デジタルカメラ１７の構成を示すブロック図である。
【図８】従来のディスプレイ装置の構成を示すブロック図である。
【符号の説明】
１１  ＰＣ
１２  ハブ
１３Ａ  ＭＰＵ
１４  表示部
１５  画像切換えスイッチ
１６  バス切換えスイッチ
１７  ディジタルカメラ
１８  スキャナ
１９  プリンタ
５１  ＮＶＲＡＭ
６１  ＲＡＭ
１１０  画像メモリ
１１１  スイッチ
１１２  ディスプレイ装置
１１３  ＲＯＭ